(57)【要約】      （修正有）【課題】導電端子の接続端と固定端間に複数の頸縮部を設けて、冶具で頸縮部に沿って切断することにより、導電端子を異なる長さとして使用できるようにしたコネクタ端子の提供。【解決手段】コネクタの端子シート内に設けられた複数の導電端子の一端に接続端が設けられ、該接続端から離れたもう一端に固定端が設けられ、上述の接続端と固定端間に複数の頸縮部が設けられ、使用者が冶具で導電端子の頸縮部に沿って切断して導電端子を使用者の必要な長さとして使用でき、一つの型で異なる長さ要求に対応する導電端子を製造でき、型製造コストを減らすことができる。【選択図】図１
0003101198.tif 000002
【実用新案登録請求の範囲】
【請求項１】
電気コネクタの端子シート内に挿通される複数の導電端子であり、該導電端子の一端が接続端とされ該接続端より離れたもう一端が固定端とされたコネクタ端子において、
該導電端子の接続端と固定端の間に複数の頸縮部が設けられ、冶具で頸縮部に沿って切断することで導電端子を使用者の必要な長さとすることができるよう形成されたことを特徴とする、コネクタ端子。
【請求項２】
請求項１記載のコネクタ端子において、導電端子の頸縮部に対向するよう案内斜面が形成されたことを特徴とする、コネクタ端子。
【請求項３】
請求項１記載のコネクタ端子において、導電端子の固定端が折り曲げられて水平状とされ、表面実装で基板に接合可能とされたことを特徴とする、コネクタ端子。
【考案の詳細な説明】
【技術分野】
【０００１】
本考案は一種のコネクタ端子に係り、特に導電端子の接続端と固定端間に複数の頸縮部が設けられ、冶具で導電端子の頸縮部に沿って切断して導電端子を異なる長さとして使用することができるよう形成されたコネクタ端子に関する。
【背景技術】
【０００２】
現在コンピュータテクノロジーが急速に成長し、デスクトップ型コンピュータ或いはノートブック型コンピュータが社会の各場所に一般に存在するようになった。デスクトップ型コンピュータとノートブック型コンピュータはメーカーによって異なる大きさのものが生産されているが、いずれも軽量化、薄型化の方向に邁進している。しかし、市場では体積が比較的大きいデスクトップ型コンピュータ或いはノートブック型コンピュータがいまだ多数を占めている。コンピュータの信号伝送用の各種のコネクタには、多くの規格があり、コネクタの規格、応用範囲及び取り付け方式の違いは、直接その導電端子の長さに影響を与える。図６は周知の導電端子の斜視図であり、これに示されるように、周知の導電端子Ａは一体成形により形成され、且つ導電端子Ａの一端は接続端Ａ１とされ、接続端Ａ１より離れたもう一端に固定端Ａ２が形成されている。さらに、上述の周知の導電端子Ａは製造時に、一組の金型を利用して複数の固定長さの導電端子Ａが製造される。導電端子Ａの長さを改変したいときには、別に型を製造しなければ異なる長さ、規格の導電端子Ａを製造できない。ゆえに業者が型を製造するコストが大幅に増加し、また、間接的に製造時間に影響を与えた。
【考案の開示】
【考案が解決しようとする課題】
【０００３】
本考案の主要な目的は、導電端子の接続端と固定端間に複数の頸縮部を設けて、冶具で頸縮部に沿って切断することにより、導電端子を異なる長さとして使用できるようにすることにある。
【０００４】
本考案の次の目的は、導電端子の固定端を折り曲げて水平状とすることができるようにし、これにより表面実装方式で基板にハンダ付けできるようにすることにある。
【課題を解決するための手段】
【０００５】
請求項１の考案は、電気コネクタの端子シート内に挿通される複数の導電端子であり、該導電端子の一端が接続端とされ該接続端より離れたもう一端が固定端とされたコネクタ端子において、
該導電端子の接続端と固定端の間に複数の頸縮部が設けられ、冶具で頸縮部に沿って切断することで導電端子を使用者の必要な長さとすることができるよう形成されたことを特徴とする、コネクタ端子としている。
請求項２の考案は、請求項１記載のコネクタ端子において、導電端子の頸縮部に対向するよう案内斜面が形成されたことを特徴とする、コネクタ端子としている。
請求項３の考案は、請求項１記載のコネクタ端子において、導電端子の固定端が折り曲げられて水平状とされ、表面実装で基板に接合可能とされたことを特徴とする、コネクタ端子としている。
【考案の効果】
【０００６】
本考案のコネクタ端子は各種の異なるコネクタに使用可能である。本考案は以下のような長所を有している。
１．本考案は一つの型を製造するだけでよく、冶具で導電端子１の頸縮部１３を切断するだけで異なる長さの導電端子１として使用することができる。
２．導電端子１の固定端１２を折り曲げて水平状とでき、表面実装方式で基板にハンダ付けすることができる。
３．本考案の導電端子１は一体成形され、ゆえに端子用型を製造するコストを有効に節約できる。
綜合すると、本考案のコネクタ端子の構造は使用時に確実に予期された目的と機能を達成し、ゆえに本考案は実用性に優れた考案であり、実用新案登録の要件を具備している。
【考案を実施するための最良の形態】
【０００７】
図１は本考案の側面図であり、図示されるように、本考案の導電端子１は一端に接続端１１が設けられ、該接続端１１から離れたもう一端に固定端１２が形成されている。さらに、該導電端子１の接続端１１と固定端１２の間に複数の頸縮部１３が設けられ、且つ頸縮部１３に案内斜面１３１が設けられている。
【０００８】
図２、３、４は本考案の好ましい実施例を示す。図示されるように、導電端子１を使用する時は、冶具を利用して導電端子１の頸縮部１３を切断し、使用者の必要な長さとすることができ、さらに該導電端子１を端子シート２内に挿入する。さらに、一般に導電端子１の両側端面には案内斜面が形成され、導電端子１を順調に挿入或いは挿通できるものとされている。本考案の導電端子１の頸縮部１３には対向する案内斜面１３１が設けられ、ゆえに、使用者が冶具で頸縮部１３に沿って切断する時、導電端子１の接続端１１と固定端１２の端面に案内斜面が形成され、並びに導電端子１の挿入或いは挿通の動作の順調性及び便利性に影響を与えない。
【０００９】
図５は本考案の別の実施例の側面図であり、図示されるように、本考案の導電端子１の固定端１２は折り曲げられて水平状とされ、且つ接続端１１と固定端１２の間には複数の頸縮部１３が設けられ、導電端子１の水平状の固定端１２が表面実装（ＳＭＴ）により基板にハンダ付けされて位置決めされる。
ゆえに、本考案のコネクタ端子は、各種の異なるコネクタに使用可能である。
【図面の簡単な説明】
【００１０】
【図１】本考案の側面図である。
【図２】本考案の好ましい実施例の斜視図である。
【図３】本考案の好ましい実施例の斜視図である。
【図４】本考案の好ましい実施例の斜視図である。
【図５】本考案の別の実施例の側面図である。
【図６】周知の導電端子の斜視図である。
【符号の説明】
【００１１】
１  導電端子
１１  接続端
１３  頸縮部
１２  固定端
１３１  案内斜面
２  端子シート
Ａ  導電端子
Ａ１  接続端
Ａ２  固定端
【図１】
0003101198.tif 000003
【図２】
0003101198.tif 000004
【図３】
0003101198.tif 000005
【図４】
0003101198.tif 000006
【図５】
0003101198.tif 000007
【図６】
0003101198.tif 000008